(57)【要約】【課題】被写体の明るさが暗い場合でも良好な画質感が得られる撮像装置を提供することを目的としている。【解決手段】二つの撮像素子と、撮像レンズから入射される被写体光の光路上に配置されたハーフミラーによりその被写体光を分割する分割手段と、このハーフミラーにより分割された被写体光が前記二つの撮像素子にそれぞれ結像される撮像装置において、前記二つの撮像素子のうち予め設定された一方の撮像素子のみに被写体光を入射させることを選択する選択手段を有し、その選択手段により前記一方の撮像素子のみに被写体光を入射させる選択がなされた場合には選択された撮像素子の光路上から前記ハーフミラーを退避させることによりハーフミラーで分割されることによる撮像素子への入射光量の低下をなくして暗い被写体でも良好な画質を得ることが可能となる構成とした撮像装置。【選択図】        図１
2006086972.tif 000002
【特許請求の範囲】
【請求項１】
二つの撮像素子と、撮像レンズから入射される被写体光の光路上に配置されたハーフミラーによりその被写体光を分割する分割手段と、このハーフミラーにより分割された被写体光が前記二つの撮像素子にそれぞれ結像される撮像装置において、前記二つの撮像素子のうち予め設定された一方の撮像素子のみに被写体光を入射させることを選択する選択手段を有し、その選択手段により前記一方の撮像素子にのみ被写体光を入射させる選択がなされた場合には選択された撮像素子の光路上から前記ハーフミラーを退避させることを特徴とする撮像装置。
【請求項２】
上記二つの撮像素子から出力される上記二つの映像信号の一方はテープメディアに記録され、一方は異なる記録メディアに記録されることを特徴とする請求項１記載の撮像装置。
【請求項３】
上記二つの撮像素子から出力される二つの映像信号を二つの記録メディアに夫々同時またはどちらか一方の映像信号のみを予め設定された記録メディアのみに記録することが選択可能なことを特徴とする請求項１記載の撮像装置。
【請求項４】
上記異なる記録メディアは静止画像を得ることを目的とする記録メディアであることを特徴とする請求項１記載の撮像装置。
【請求項５】
上記ハーフミラーを撮像素子の光路上から退避させるか否かを選択する条件は記録する記録メディアの選択と連動されていることを特徴とする請求項１記載の撮像装置。
【発明の詳細な説明】
【技術分野】
【０００１】
本発明は、ビデオカメラ等の撮像装置、特に撮像素子で得られた映像信号をデジタル化して信号処理する撮像装置に関するものである。
【背景技術】
【０００２】
図４は一般的な撮像素子を使用した撮像装置の構成を示すブロック図である。
【０００３】
同図において、１は撮像レンズ、２は後述する二つの撮像素子に被写体光を入射するためのハーフミラーで、このハーフミラー２は撮像レンズ１から入射する被写体光に対して４５度の角度になるように設置されており、被写体光の約５０％を透過し、５０％を反射する特性を有している。３は前記ハーフミラー２から透過した被写体光の入射光量を制御するアイリスＡ、４は前記ハーフミラー２から反射した被写体光の入射光量を制御するアイリスＢ、５は光電変換してカードメディアに記録するための映像信号を出力する撮像素子Ａで、６は前記ハーフミラー２から反射した被写体光を光電変換してテープメディアに記録するための映像信号を出力する撮像素子Ｂである。７はこの撮像素子Ａ５から出力された映像信号に含まれている蓄積電荷ノイズを低減するためのＳ／Ｈ回路Ａである。８は映像信号のレベルを一定レベルに保つためのオートゲインコントロール回路Ａ（以下ＡＧＣ回路Ａという）、９は映像信号をデジタル信号に変換するＡ／Ｄ変換器Ａ、１０はこのＡ／Ｄ変換器Ａ８から出力されたデジタル映像信号をカードディアに記録可能とする画像信号に変換するために必要なさまざまな信号処理を施すデジタル信号処理（ＤＳＰ）回路Ａである。１１は前記撮像素子Ｂ６から出力された映像信号に含まれている蓄積電荷ノイズを低減するためのＳ／Ｈ回路Ｂである。
【０００４】
１２は映像信号のレベルを一定レベルに保つためのオートゲインコントロール回路Ｂ（以下ＡＧＣ回路Ｂという）、１３は映像信号をデジタル信号に変換するＡ／Ｄ変換器Ｂ、１４はこのＡ／Ｄ変換器Ｂ１３から出力されたデジタル映像信号をテープメディアに記録可能なビデオ信号に変換するために必要なさまざまな信号処理を施すデジタル信号処理（ＤＳＰ）回路Ｂ、１５は前記ＤＳＰ回路Ａ１０およびＤＳＰ回路１４を含むシステム全体を制御するマイクロコンピュータで構成されたシステムコントロール回路である。
【０００５】
このシステムコントロール回路１５では前記アイリスＡ３およびアイリスＢ４の開度情報と前記ＤＳＰ回路Ａ１０およびＤＳＰ回路Ｂ１４からの映像信号レベルデータに基づき前記アイリスＡ３およびアイリスＢ４の開度を制御するとともに後述するメディア記録選択スイッチ１８の状態を判断して前記二つの映像信号を夫々同時に記録メディアに記録するかまたはどちらか一方の映像信号のみを予め設定された記録メディアに記録するかのシステム制御を行っている。またＤＳＰ回路Ａ１０から出力されたデジタル画像信号は静止画像としてカードメディア記録装置１６に送られカードに記録され、ＤＳＰ回路Ｂ１４から出力されるデジタルビデオ信号はテープメディア記録装置１７に送られてテープメディアに記録される。１８は映像信号を記録メディアに記録する際の記録メディアを選択するための切り替えスイッチであり、前記二つの撮像素子からの夫々の映像信号を夫々の記録メディアに同時に記録するかまたはどちらかの映像信号のみを予め設定された記録メディアに記録するかを選択する。
【特許文献１】特開平１０−１５５１００号公報
【発明の開示】
【発明が解決しようとする課題】
【０００６】
しかしながら、上記のような従来の撮像装置にあっては、それぞれ撮像素子Ａ５および撮像素子Ｂ６には撮像レンズ１から入射される被写体光はハーフミラー２で２分割された光量しか入射しないため被写体の明るさが十分に明るい場合にはあまり問題はないが、絞りが開放しても適正な光量が得られない被写体の明るさの場合には暗い画像もしくはＳ／Ｎの悪化した画像しか得られないという問題が生じる。
【０００７】
本発明では被写体の明るさが暗い場合でも良好な画質感が得られる撮像装置を提供することを目的としている。
【課題を解決するための手段】
【０００８】
本発明は上記目的を達成するために、次のように構成したものである。
【０００９】
二つの撮像素子と、撮像レンズから入射される被写体光の光路上に配置されたハーフミラーによりその被写体光を分割する分割手段と、このハーフミラーにより分割された被写体光が前記二つの撮像素子にそれぞれ結像される撮像装置において、前記二つの撮像素子のうち予め設定された一方の撮像素子のみに被写体光を入射させることを選択する選択手段を有し、その選択手段により前記一方の撮像素子のみに被写体光を入射させる選択がなされた場合には選択された撮像素子の光路上から前記ハーフミラーを退避させることによりハーフミラーで分割されることによる撮像素子への入射光量の低下をなくして暗い被写体でも良好な画質を得ることが可能となる構成としたことを特徴とする撮像装置。
【発明の効果】
【００１０】
本発明によれば、従来に比べて被写体の明るさが十分でないときでもカードメディア記録における良好な画像を得ることが出来るという効果がある。
【発明を実施するための最良の形態】
【００１１】
以下、本発明の詳細を図面に示す実施例に従って説明する。
【実施例】
【００１２】
図１は本発明に係る撮像装置の全体のシステム構成を示すブロック図であり、図４と同一符号は同一構成要素を示している。
【００１３】
図１において、１は撮像レンズ、２は後述する二つの撮像素子に被写体光を入射するためのハーフミラーで、このハーフミラー２は撮像レンズ１から入射する被写体光に対して４５度の角度になるように設置されており、被写体光の約５０％を透過し、５０％を反射する特性を有している。１９は後述するシステムコントロール回路１１からの制御信号に従って、前記ハーフミラー２を後述する撮像素子Ａ５の光路上から退避させるためのハーフミラー駆動装置、３は前記ハーフミラー２から透過した被写体光の入射光量を制御するアイリスＡ、４は前記ハーフミラー２から反射した被写体光の入射光量を制御するアイリスＢ、５は光電変換してカードメディアに記録するための映像信号を出力する撮像素子Ａで、６は前記ハーフミラー２から反射した被写体光を光電変換してテープメディアに記録するための映像信号を出力する撮像素子Ｂである。７はこの撮像素子Ａ５から出力された映像信号Ａに含まれている蓄積電荷ノイズを低減するためのＳ／Ｈ回路Ａである。８は映像信号のレベルを一定レベルに保つためのオートゲインコントロール回路Ａ（以下ＡＧＣ回路Ａという）、９は映像信号をデジタル信号に変換するＡ／Ｄ変換器Ａ、１０はこのＡ／Ｄ変換器Ａ９から出力されたデジタル信号Ａをカードメディアに記録可能とする画像信号に変換するために必要なさまざまな信号処理を施すデジタル信号処理（ＤＳＰ）回路Ａである。１１は前記撮像素子Ｂ６から出力された映像信号Ｂに含まれている蓄積電荷ノイズを低減するためのＳ／Ｈ回路Ｂである。
【００１４】
１２は映像信号のレベルを一定レベルに保つためのオートゲインコントロール回路Ｂ（以下ＡＧＣ回路Ｂという）、１３は映像信号をデジタル信号に変換するＡ／Ｄ変換器Ｂ、１４はこのＡ／Ｄ変換器Ｂ１３から出力されたデジタル信号Ｂをテープメディアに記録可能とするビデオ信号に変換するために必要なさまざまな信号処理を施す、デジタル信号処理（ＤＳＰ）回路Ｂ、１５は前記ＤＳＰ回路Ａ１０およびＤＳＰ回路Ｂ１４を含むシステム全体を制御するマイクロコンピュータで構成されたシステムコントロール回路である。
【００１５】
このシステムコントロール回路１５では前記メディア記録選択スイッチ１８の状態を判断して前記二つの映像信号を夫々同時に記録メディアに記録するかまたはどちらか一方の映像信号のみを予め設定された記録メディアに記録するかのシステム制御を行っている。
【００１６】
またＤＳＰ回路Ａ１０から出力された画像信号Ａは静止画像としてカードメディア記録装置１６に送られカードに記録され、ＤＳＰ回路Ｂ１４から出力される映像信号Ｂはビデオ信号としてテープメディア記録装置１７に送られてカードメディアに記録される。
【００１７】
１８は映像信号を記録メディアに記録する際の記録メディアを選択するための切り替えスイッチであり二つの撮像素子からの夫々の映像信号を夫々の記録メディアに同時に記録するかどちらかの映像信号のみを予め設定された記録メディアに記録するかを選択する。
【００１８】
電源オン時に撮影者は前記メディア記録選択スイッチ１８の切り替えによりカード記録モードかテープ記録モードか同時記録モードかの選択を行う。
【００１９】
図２は本実施例での前記ハーフミラー２を前記撮像素子Ａ５の光路上から退避する場合の前記ハーフミラー駆動回路１９を含む制御ブロックを示したものである。
【００２０】
また図３は、本実施例での前記記録メディア選択スイッチ１８の記録モード切り替えと前記ハーフミラー２を前記撮像素子Ａ５から退避される関連を表すフローチャート図である。
【００２１】
撮影者は撮像装置の前記メディア記録選択スイッチ１８により所望するメディアに記録するための選択を行う。
【００２２】
この時撮影者が前記撮像素子Ａ５から出力される映像信号を使うカード記録モードを選択した場合には、システムコントロール回路１５から前記ハーフミラー駆動回路１９に前記ハーフミラー２を前記撮像素子Ａ５の光路上から退避させるための制御信号を出力する。
【００２３】
前記ハーフミラー駆動回路１９はこの制御信号が入力されると前記ハーフミラー２を９０°回転せる。
【００２４】
ハーフミラー２は撮像素子Ａ５の光路上から除かれ結果的に撮像素子Ａ５に入射される被写体光の光量は約２倍に増加することになる。
【００２５】
また本実施例ではカード記録モード時に前記ハーフミラー２を前記撮像素子Ａ５の光路上から退避させる制御としたが、テープモード時に前記ハーフミラー２を前記撮像素子Ｂ６の光路上から退避するような構造とすることも含まれる。
【図面の簡単な説明】
【００２６】
【図１】本発明に係る撮像装置の全体構成を示すブロック図
【図２】本発明に係るハーフミラーを駆動するための周辺回路のブロック図
【図３】本実施例に係るハーフミラーの制御フローチャート図
【図４】従来の構成を示す図
【符号の説明】
【００２７】
１  撮像レンズ
２  ハーフミラー
３  アイリスＡ
４  アイリスＢ
５  撮像素子Ａ
６  撮像素子Ｂ
７  Ｓ／Ｈ回路Ａ
８  ＡＧＣ回路Ａ
９  Ａ／Ｄ変換器Ａ
１０  ＤＳＰ回路Ａ
１１  Ｓ／Ｈ回路Ｂ
１２  ＡＧＣ回路Ｂ
１３  Ａ／Ｄ変換器Ｂ
１４  ＤＳＰ回路Ｂ
１５  システムコントロール回路
１６  カードメディア記録装置
１７  テープメディア記録装置
１８  記録メディア選択スイッチ
１９  ハーフミラー駆動回路
【図１】
2006086972.tif 000003
【図２】
2006086972.tif 000004
【図３】
2006086972.tif 000005
【図４】
2006086972.tif 000006